(57)【要約】【課題】  特殊鋼に対してもテーパ穴を精度よく形成することのできるテーパ刃エンドミル、およびそれを用いたテーパ穴形成方法を提案すること。【解決手段】  テーパ刃エンドミル１は、シャンク２の先端側に、回転中心軸線１ａに対して一定のテーパ角θａで漸減している先細テーパの刃部３を有している。この刃部３には、所定のねじれ角θｂをもって２枚の外周刃７が形成されている。また、刃部３の先端部分には、一定の先端角θｄで底刃８が構成されている。刃部３のテーパ角θａは０°１５′から１０°の範囲に設定されており、外周刃７のねじれ角θｂは５°から１５°の範囲に設定されており、底刃８の先端角θｄは１００°から１３０°の範囲に設定されている。特殊鋼からなるワークに対しては、テーパ刃エンドミル１を軸線周りに回転させながら刃部３を進入させる。【選択図】  図２
2007021610.tif 000002
【特許請求の範囲】
【請求項１】
シャンクの先端側に先細テーパの刃部を有し、該刃部には所定のねじれ角をもって外周刃が形成されたテーパ刃エンドミルにおいて、
前記ねじれ角が５°から１５°の範囲に設定されていることを特徴とするテーパ刃エンドミル。
【請求項２】
請求項１において、
前記刃部のテーパ角が０°１５′から１０°の範囲に設定されていることを特徴とするテーパ刃エンドミル。
【請求項３】
請求項１または２において、
前記外周刃は、２枚刃構成になっており、
当該外周刃の先端の外径寸法が１．３ｍｍ以上であることを特徴とするテーパ刃エンドミル。
【請求項４】
請求項１ないし３のいずれかにおいて、
前記刃部の先端部分には、一定の先端角で底刃が構成されており、
当該先端角が１００°から１３０°の範囲に設定されていることを特徴とするテーパ刃エンドミル。
【請求項５】
請求項１ないし４のいずれかにおいて、
前記外周刃の逃げ角が５°から１５°の範囲に設定されていることを特徴とするテーパ刃エンドミル。
【請求項６】
請求項１ないし５のいずれかにおいて、
前記外周刃のすくい角が−６°から−１°までの範囲に設定されていることを特徴とするテーパ刃エンドミル。
【請求項７】
請求項１ないし６のいずれかにおいて、
前記外周刃のマージン幅が０ｍｍから０．１ｍｍの範囲に設定されていることを特徴とするテーパ刃エンドミル。
【請求項８】
請求項１ないし７のいずれかに規定するテーパ刃エンドミルを用いたテーパ穴形成方法であって、
前記テーパ刃エンドミルを軸線周りに回転させながら前記刃部をワークに進入させてテーパ穴を形成することを特徴とするテーパ穴形成方法。
【請求項９】
請求項１ないし７のいずれかに規定するテーパ刃エンドミルを用いた金型の製造方法でであって、
前記テーパ刃エンドミルを軸線周りに回転させながら前記刃部を金型素材に進入させてゲートに接続するスプル用のテーパ穴を形成することを特徴とする金型の製造方法。
【発明の詳細な説明】
【技術分野】
【０００１】
本発明は、テーパ刃エンドミル、およびそれを用いたテーパ穴形成方法に関するものである。さらに詳しくは、射出成形用金型の材料でもある熱間ダイス鋼などといった特殊鋼にテーパ穴を形成するのに適したテーパ刃エンドミルの構成に関するものである。
【背景技術】
【０００２】
一般に、射出成形用金型として、ランナ型板、キャビティ型板、およびコア型板がこの順番に積層された３枚構成の金型が一般に知られており、かかる金型では、各型板に、溶融樹脂の通路となる第１スプル、ランナ、第２スプル、ピンポイントゲート、およびキャビティが形成されている。各型板は、ＳＫＤ−６１などの熱間ダイス鋼や、ＨＰＭ３８などのプリハードン鋼などといった特殊鋼が用いられている。
【０００３】
ここで、キャビティ型板に形成されている第２スプルおよびピンポイントゲートは、ランナからキャビティに流入する溶融樹脂の流量と方向を制御すると共に、溶融樹脂が固化して成形品になるまでキャビティ内に溶融樹脂を封じ込んでランナ側への逆流を防ぐ重要な部分である。このため、第２スプルとピンポイントゲートの形成には、高い寸法精度と高い面精度が要求される。
【０００４】
第２スプルおよびピンポイントゲートは、キャビティに向かうに連れて内径寸法が漸減しているテーパ状であるので、これらをキャビティ型板に形成するにあたっては、放電加工機や、テーパ穴に沿った形状の半月テーパカッターあるいは回転中心軸線と平行に延びる２枚の直刃を備えた直刃２枚刃テーパカッターなどが用いられる。いずれのものを用いた場合でも、まず、キャビティ型板にドリルなどで下穴を開け、しかる後に、加工機あるいは各カッターで加工を行っている。
【発明の開示】
【発明が解決しようとする課題】
【０００５】
しかしながら、これらの加工機およびカッターを用いて、第２スプルおよびピンポイントゲートを形成する方法では、以下に挙げる問題がある。
【０００６】
まず、放電加工機を用いた場合には、放電電極とキャビティ型板の間にスパークを発生させてキャビティ型板にテーパ穴を少しずつ開けていくので、加工時間が長く、加工費用が嵩んでしまうという問題がある。また、仕上げ加工用の磨き工具が別途、必要である。
【０００７】
次に、半月テーパカッターおよび直刃２枚刃テーパカッターを用いた場合には、放電加工機に比べて加工時間を短縮できるという利点があるが、双方とも、精度よく加工が行えないという問題がある。その理由は、かかる構造のカッターは切削の際に切り粉が上がってこないので、切り粉が内部で詰まってしまい、切り粉が内周面に傷を付けてしまうためと考えられる。このため、従来は、荒削り用と仕上げ用の２本のカッターを用いて孔加工を行っている。また、切り粉の巻き込みなどに起因してカッターが折損するので、カッターの寿命が短いという問題がある。
【０００８】
以上の問題に鑑みて、本発明の課題は、特殊鋼製のワークであってもテーパ穴を精度よく形成することのできるテーパ刃エンドミル、およびそれを用いたテーパ穴形成方法を提案することにある。
【課題を解決するための手段】
【０００９】
シャンクの先端側に先細テーパの刃部を有し、該刃部には所定のねじれ角をもって外周刃が形成されたテーパ刃エンドミルにおいて、本願出願人は、刃部の部分の構成を種々変えて、熱間ダイス鋼やプリハードン鋼などといった特殊鋼に対してテーパ穴加工を行い、その際のうねりの有無、刃の切れ具合、テーパ穴の内周面の面精度、および加工時間について検討を行った。その結果、本願出願人は、シャンクの先端側に先細テーパの刃部を有し、該刃部には所定のねじれ角をもって外周刃が形成されたテーパ刃エンドミルにおいて、ねじれ角を小さく設定し、直刃のテーパカッターに近い構成に到達した。すなわち、本発明では、シャンクの先端側に先細テーパの刃部を有し、該刃部には所定のねじれ角をもって外周刃が形成されたテーパ刃エンドミルにおいて、前記ねじれ角を５°から１５°の範囲に設定したことを特徴とする。
【００１０】
本発明では、テーパ刃エンドミルの外周刃のねじれ角を５°から１５°という小さな角度に設定したため、特殊鋼に対してテーパ穴加工を行った際、うねりの発生や刃の切れ具合などにおいて直刃のテーパカッター以上の特性を発揮する。また、テーパ刃エンドミルの外周刃のねじれ角を５°から１５°という小さな角度に設定したため、熱間ダイス鋼やプリハードン鋼などといった特殊鋼にテーパ穴を形成する際でも、発生した切り粉は、外周刃によってシャンク側に押し上げられ、ワークの表面側まで上がってくる。それ故、本発明によれば、切り粉の巻き込みなどに起因するテーパ穴の内周面の荒れが起こらないので、テーパ穴内周面の面精度が高い。よって、テーパ穴の内周面を磨き工具で後加工する必要がないので、加工効率が高い。また、テーパ刃エンドミルの強度が高いので、１本のテーパ刃エンドミルで多数のテーパ穴を形成することができる。それ故、本発明によれば、工具の交換頻度を極めて低く抑えることができ、コストの大幅な低減を図ることができる。
【００１１】
本発明において、前記刃部のテーパ角が０°１５′から１０°の範囲に設定されていることが望ましい。
【００１２】
本発明において、前記外周刃は、２枚刃構成になっており、当該外周刃の先端の外径寸法が１．３ｍｍ以上であることが望ましい。
【００１３】
本発明において、前記刃部の先端部分に、一定の先端角で底刃を構成し、当該先端角を１００°から１３０°の範囲に設定することが望ましい。このように構成すると、底刃がドリルとして機能するので、テーパ穴を形成する際に、従来のようにドリルなどで下穴を開ける必要がないので、加工時間を短縮できる。
【００１４】
本発明において、前記外周刃の逃げ角が５°から１５°の範囲に設定されていることが望ましい。
【００１５】
本発明において、前記外周刃のすくい角が−６°から−１°までの範囲に設定されていることが望ましい。
【００１６】
本発明において、前記外周刃のマージン幅が０ｍｍから０．１ｍｍの範囲に設定されていることが望ましい。
【００１７】
本発明に係るテーパ刃エンドミルを用いたテーパ穴形成方法においては、前記テーパ刃エンドミルを軸線周りに回転させながら前記刃部をワークに進入させることを特徴とする。また、金型の製造方法においては、前記テーパ刃エンドミルを軸線周りに回転させながら前記刃部を金型素材に進入させてゲートに接続するスプル用のテーパ穴を形成することを特徴とする。本発明を適用したテーパ穴形成方法では、テーパ穴の内周面の面精度を磨き工具がいらない位にまで仕上げることができるので、高い面精度などが要求されている射出成形用金型を製造する際に適用すると、その効果が顕著である。
【発明の効果】
【００１８】
本発明では、テーパ刃エンドミルの外周刃のねじれ角を５°から１５°という小さな角度に設定したため、特殊鋼に対してテーパ穴加工を行った際、うねりの発生を防止でき、刃の切れ具合も高い。また、テーパ穴を形成する際に発生した切り粉は、外周刃によってシャンク側に押し上げられ、ワークの表面側まで上がってくる。それ故、本発明によれば、切り粉の巻き込みなどに起因するテーパ穴の内周面の荒れが起こらないので、テーパ穴内周面の面精度が高い。よって、テーパ穴の内周面を磨き工具で後加工する必要がないので、加工効率が高い。また、テーパ刃エンドミルの強度が高いので、１本のテーパ刃エンドミルで多数のテーパ穴を形成することができる。それ故、本発明によれば、工具の交換頻度を極めて低く抑えることができ、コストの大幅な低減を図ることができる。
【発明を実施するための最良の形態】
【００１９】
以下、図面を参照して、本発明の実施の形態を説明する。
【００２０】
［実施の形態１］
（全体構成）
図１（ａ）および（ｂ）は、本発明を適用したテーパ刃エンドミルを用いて切削加工を行うことにより製造される射出成形用金型の一例を示す概略断面図である。図２（ａ）および（ｂ）は、本発明の実施の形態１に係るテーパ刃エンドミルの側面図、および刃部を先端側から見たときの底面図である。なお、図２（ａ）、（ｂ）において、各符号を以下の寸法
Ｌ＝テーパ刃エンドミルの全長
Ｌ′＝刃部の長さ
Ｌ′ｓ＝シャンクの長さ
φＤ＝外周刃の先端の外径
φ＝外周刃の基端の外径
θａ＝外周刃のテーパ角
θｂ＝ねじれ角
θｃ＝逃げ角
θｅ＝すくい角
Ｗ＝マージン幅
θｄ＝底刃の先端角
で示してある。
【００２１】
本発明を適用したテーパ刃エンドミルは、図１（ａ）および（ｂ）に示す射出成形用金型１００のテーパ穴の部分を形成するのに適した工具である。ここに例示する射出成形用金型１００は、ランナ型板１０１、固定側型板であるキャビティ型板１０２、および可動側型板であるコア型板１０３がこの順番に積層される３枚構成の金型であり、型板１０１〜１０３を積層した状態では、溶融樹脂１１０の通路となる第１スプル１０５、ランナ１０６、第２スプル１０７、ピンポイントゲート１０８、およびキャビティ１０９が形成される。溶融樹脂１１０の通路のうち、第１スプル１０５はランナ型板１０１にテーパ穴を開けることにより形成される。第２スプル１０７は、ランナ１０６の側から、内径寸法が等径に形成されているストレート穴１０７ａと、この端部からキャビティ１０９に向かうに連れて内径寸法が漸減しているテーパ穴１０７ｂとを備え、このテーパ穴１０７ｂおよびピンポイントゲート１０８はキャビティ型板１０２にテーパ穴を開けることにより形成される。本発明を適用したテーパ刃エンドミルは、かかるテーパ穴を開けるために用いられる。なお、各型板１０１〜１０３は、ＳＫＤ−６１などの熱間ダイス鋼や、ＨＰＭ３８などのプリハードン鋼などといった特殊鋼製であり、その硬度はロックウェル硬さで約ＨＲＣ３３である。
【００２２】
図２（ａ）および（ｂ）に示すように、本形態のテーパ刃エンドミル１は、シャンク２と、このシャンク２の先端側に、回転中心軸線１ａに対して一定のテーパ角θａで漸減している先細テーパの刃部３とを有している。また、シャンク２と刃部３の間はテーパ状の首部４によって繋がれている。テーパ刃エンドミル１は、耐磨耗性の高い、例えばハイス鋼や超鋼から形成されている。
【００２３】
刃部３の外周部分には、回転中心軸線１ａの方向に螺旋状に延びる複数の螺旋溝５が等角度間隔に形成されている。各螺旋溝５の間は、回転中心軸線１ａの方向に螺旋状に延びるランド部６とされ、螺旋溝５とランド部６は各々複数条、周方向において交互に形成されている。ランド部６の外周面は、刃部３の外接円と略重なっている円弧状面部分６１と、段差を介して矢印ＣＷで示す回転方向と反対側に向かうに連れて縮径している二番取り面部分６２とを備えている。
【００２４】
本形態では、螺旋溝５およびランド部６はいずれも矢印ＣＷで示す回転方向にねじれている右ねじれであると共に、それらの数はいずれも２条である。
【００２５】
２条のランド部６の各々には、矢印ＣＷで示す回転方向側に位置する縁６０に、回転中心軸線１ａの方向に所定のねじれ角θｂをもって螺旋状に延びる外周刃７が形成されている。従って、本形態の外周刃７は右刃右ねじれの２枚刃構成になっている。
【００２６】
本形態のテーパ刃エンドミル１において、刃部３は、その先端部分に一定の先端角θｄで底刃８が構成されている。この底刃８は、一般のドリルの先端部分と同様に、逃げ面８１が形成されている。また、切り粉の排出性を良くするためにシンニング８２が形成されている。
【００２７】
このように構成したテーパ刃エンドミル１において、
外周刃７の先端の外径φＤ
刃部３のテーパ角θａ
テーパ刃エンドミル１の全長Ｌ
刃部３の長さＬ′
シャンク２の長さＬ′ｓ
外周刃７の基端の外径φ
は各々、表１に示すように設定され、外周刃７のテーパ角θａは２°あるいは３°、外周刃７の先端の外径φＤは、１．４ｍｍ、２ｍｍ、２．５ｍｍあるいは３ｍｍである。なお、シャンク２の外径寸法はいずれもφ１０である。
【００２８】
【表１】
2007021610.tif 000003
【００２９】
また、本形態の各テーパ刃エンドミル１（１）〜１（８）のその他の条件は以下に示す条件
ねじれ角θｂ＝１０°
逃げ角θｃ＝９°
すくい角θｅ＝−１°
マージン幅Ｗ＝０．０２ｍｍから０．０６ｍｍ
底刃８の先端角θｄ＝１２０±５°
に設定されている。
【００３０】
このように構成したテーパ刃エンドミル１を用いて、例えば、図１に示す射出成形用金型１００のキャビティ型板１０２にテーパ穴を開けてピンポイントゲート１０８に接続する第２スプル１０７を形成するには、テーパ刃エンドミル１のシャンク２をフライス盤（図示せず）に連結して、矢印ＣＷで示すように当該エンドミル１を軸線周りに所定の回転数で回転させながら、金型素材であるワークに刃部３を所定の送り速度で進入させる。その際、テーパ刃エンドミル１とワークとの切削点に向けてはクーラントを供給する。ここで、テーパ刃エンドミル１の底刃８はドリルの機能を果たすので、従来のように、ワークに予め下穴を開けておく必要がない。刃部３がワークを切削することによって発生した切り粉については、螺旋溝５が受けるとともに、螺旋溝５に入り込んだ切り粉は、回転に伴って発生する当該螺旋溝５による排出力などにより押し上げられ、クーラントとともにワークの表面側まで上がってくる。
【００３１】
このようなテーパ穴形成方法において、ワークがＳＫＤ−６１などの熱間ダイス鋼や、ＨＰＭ３８などのプリハードン鋼などといった特殊鋼からなる場合、刃部３の回転数を２７０ｒｐｍ〜５００ｒｐｍ、刃部３の送り速度を２ｍｍ／ｍｉｎに設定すると、効率よく切削を行うことができる。
【００３２】
以上説明したように、本形態のテーパ刃エンドミル１では、外周刃７を、従来の回転中心軸線と平行に延びる直刃に対して、５°から１５°という緩やかなねじれ角θｂを持たせた螺旋刃にすることによって、熱間ダイス鋼やプリハードン鋼などといった特殊鋼製のワークであっても、効率よく切削を行うことが可能になった。また、発生した切り粉は、螺旋溝５に沿って上がってくるので、切り粉の巻き込みなどに起因するテーパ穴の内周面の荒れが起こらない。それ故、テーパ穴の内周面の面精度を磨き工具がいらない位にまで仕上げることができる。よって、本形態のテーパ刃エンドミル１を用いれば、ワークが熱間ダイス鋼やプリハードン鋼などといった特殊鋼製であっても、精度よくテーパ穴を形成することができる。
【００３３】
また、本形態のテーパ刃エンドミル１は、これ１本でテーパ穴の内周面を磨き工具がいらない位にまで仕上げることができるので、荒削り用と仕上げ用の２本の工具を用いていた従来に比べて、コストを削減できる。さらに、工具交換のための時間のロスがなくなるので、加工時間を短縮できる。
【００３４】
さらには、切り粉の巻き込みに起因するカッターの折損が発生しないので、工具の寿命を延ばすことができる。
【００３５】
さらにまた、刃部３の底刃８はドリルの機能を果たすので、従来のように、ワークに予め下穴を開けておく必要がない。それ故、加工時間を大幅に短縮でき、加工費用を低く抑えることができる。
【００３６】
［実施の形態２］
図３（ａ）および（ｂ）は、本発明の実施の形態２に係るテーパ刃エンドミルの側面図、および刃部を先端側から見たときの底面図である。なお、本形態のテーパ刃エンドミルの基本的な構成は、実施の形態１と同様であるため、共通する部分には同一の符号を付して図示するとともに、それらの説明を省略する。
【００３７】
本形態のテーパ刃エンドミル１（９）も、シャンク２の先端側に、回転中心軸線１ａに対して一定のテーパ角θａで漸減している先細テーパの刃部３を有している。この刃部３には、所定のねじれ角θｂをもって２枚の外周刃７が形成されている。また、刃部３の先端部分には、一定の先端角θｄで底刃８が構成されている。
【００３８】
本形態のテーパ刃エンドミル１（９）は、上記形態のものよりも一回り大きく形成されており、各部分の角度および寸法は以下に示す条件
外周刃７の先端の外径φＤ＝２．３±０．０５ｍｍ
刃部３のテーパ角θａ＝１°３０′±１０′
テーパ刃エンドミル１の全長Ｌ＝１１０ｍｍ
刃部３の長さＬ′＝６０±０．６ｍｍ
シャンク２の長さＬ′ｓ＝３８．１ｍｍ
外周刃７の基端の外径φ＝５．４０６ｍｍ
ねじれ角θｂ＝１０°
逃げ角θｃ＝９°
すくい角θｅ＝−１°
マージン幅Ｗ＝０．０２ｍｍから０．０６ｍｍ
底刃８の先端角θｄ＝１２０±５°
に設定されている。なお、シャンク２の外径寸法はφ１０である。また、円弧状面部分６１のランド幅は０．４ｍｍである。
【００３９】
このように構成したテーパ刃エンドミル１（９）を用いた場合も、ワークが熱間ダイス鋼やプリハードン鋼などといった特殊鋼製であっても、精度よくテーパ穴を形成することができるなど、実施の形態１と同様な効果を奏する。
【００４０】
［その他の実施の形態］
また、上記実施の形態１、２の他、各種条件で２枚刃のテーパ刃エンドミル１を製作するとともに、これらのテーパ刃エンドミル１によって、熱間ダイス鋼やプリハードン鋼などといった特殊鋼製にテーパ穴を形成したところ、以下の条件
外周刃７の先端の外径φＤ＝１．３ｍｍ以上
刃部３のテーパ角θａ＝０°１５′から１０°の範囲
ねじれ角θｂ＝５°から１５°の範囲
逃げ角θｃ＝５°から１５°の範囲
すくい角θｅ＝−６°から−１°までの範囲
マージン幅Ｗ＝０ｍｍから０．１ｍｍ
底刃８の先端角θｄ＝１００°から１３０°の範囲
であれば、うねりの発生や刃の切れ具合などにおいて直刃のテーパカッター以上の特性を発揮することが確認できた。また、テーパ刃エンドミルの外周刃のねじれ角を５°から１５°という小さな角度に設定したため、熱間ダイス鋼やプリハードン鋼などといった特殊鋼にテーパ穴を形成する際でも、発生した切り粉は、外周刃によってシャンク側に押し上げられ、ワークの表面側まで上がってくる。それ故、本発明によれば、切り粉の巻き込みなどに起因するテーパ穴の内周面の荒れが起こらないので、テーパ穴内周面の面精度が高い。よって、テーパ穴の内周面を磨き工具で後加工する必要がないので、加工効率が高い。また、テーパ刃エンドミルの強度が高いので、１本のテーパ刃エンドミルで多数のテーパ穴を形成することができる。それ故、本発明によれば、工具の交換頻度を極めて低く抑えることができ、コストの大幅な低減を図ることができる。
【図面の簡単な説明】
【００４１】
【図１】（ａ）および（ｂ）は、本発明を適用したテーパ刃エンドミルも用いて切削することにより製造された射出成形用金型の一例を示す概略断面図である。
【図２】（ａ）および（ｂ）は、本発明の実施の形態１に係るテーパ刃エンドミルの側面図、および刃部を先端側から見たときの底面図である。
【図３】（ａ）および（ｂ）は、本発明の実施の形態２に係るテーパ刃エンドミルの側面図、および刃部を先端側から見たときの底面図である。
【符号の説明】
【００４２】
１、１（１）〜１（９）  テーパ刃エンドミル
１ａ  回転中心軸線
２  シャンク
３  刃部
５  螺旋溝
６  ランド部
７  外周刃
８  底刃
【図１】
2007021610.tif 000004
【図２】
2007021610.tif 000005
【図３】
2007021610.tif 000006